(57)【特許請求の範囲】
【請求項１】
利用者が入出庫部において車両の入出庫を行う機械式駐車設備の安全確認装置であって、
前記機械式駐車設備の利用者を登録者として記憶する制御装置と、
前記機械式駐車設備の入出庫扉を開放する前に認証する第１認証装置と、
前記入出庫部の安全確認を行った後に認証する第２認証装置と、
前記入出庫扉を閉鎖する前に照合データを入力する照合装置と、を備え、
前記制御装置は、
前記入出庫扉の開放前に前記第１認証装置で前記利用者が入力する第１認証データを前記登録者の登録データと照合し、該第１認証データが前記登録データに含まれる場合には前記入出庫扉を開放するとともに、機械式駐車設備の運転操作をロックし、
前記安全確認後に前記第２認証装置で入力する第２認証データを前記登録者の登録データと照合し、該第２認証データが前記登録データに含まれる場合には、前記入出庫扉の閉鎖前に前記照合装置で入力する照合データと照合し、照合結果が一致する場合には機械式駐車設備の運転操作のロックを解除するように構成されている、ことを特徴とする機械式駐車設備の安全確認装置。
【請求項２】
前記第２認証装置は、該第２認証装置による第２認証データの入力後に操作する認証確認部を有している、請求項１に記載の機械式駐車設備の安全確認装置。
【請求項３】
前記第２認証装置は、前記入出庫部を見渡せる位置に配置されている、請求項１又は２に記載の機械式駐車設備の安全確認装置。
【請求項４】
前記第２認証装置は、前記入出庫部で入出庫する車両の少なくとも左位置と右位置とにそれぞれ配置されている、請求項１〜３のいずれか１項に記載の機械式駐車設備の安全確認装置。
【請求項５】
前記第２認証装置は、前記入出庫部に配置され、
前記制御装置は、前記利用者が前記第２認証装置による第２認証データの入力後、該第２認証装置の位置から前記入出庫扉の位置の物体検知センサに向けて順に検知して利用者の退出を検知することで、前記照合装置による照合データの入力が可能となるように構成されている、請求項１〜４のいずれか１項に記載の機械式駐車設備の安全確認装置。
【請求項６】
前記制御装置は、前記利用者による前記第２認証装置での第２認証データの入力後、前記入出庫扉の位置の物体検知センサが検知した後、前記入出庫部の物体検知センサが検知することで、侵入と判定して前記第２認証装置を第２認証データの入力前の状態にするように構成されている、請求項１〜５のいずれか１項に記載の機械式駐車設備の安全確認装置。
【請求項７】
前記第２認証装置は、前記入出庫部に配置され、
前記制御装置は、前記第２認証装置で第２認証データの入力後、所定時間を経過するまで前記入出庫部の物体検知センサを無効とするように構成されている、請求項１〜５のいずれか１項に記載の機械式駐車設備の安全確認装置。
【請求項８】
前記第２認証装置は、該第２認証装置で認証する前の状態を有効状態、認証後の状態を無効状態としたとき、該第２認証装置の有効状態又は無効状態を示す明示機能を有している、請求項１〜７のいずれか１項に記載の機械式駐車設備の安全確認装置。
【請求項９】
機械式駐車設備の運転操作を利用者が行い、入出庫部において車両の入出庫を行う機械式駐車設備の安全確認方法であって、
前記機械式駐車設備の利用者を登録者として制御装置に記憶し、
前記利用者が前記機械式駐車設備の入出庫扉を開放する前に前記入出庫部の外で入力する第１認証データを前記登録者の登録データと照合し、該第１認証データが前記登録データに含まれる場合には前記入出庫扉を開放するとともに、機械式駐車設備の運転操作をロックし、
前記入出庫部の安全確認後に第２認証装置で入力する第２認証データを前記登録者の登録データと照合し、該第２認証データが前記登録データに含まれる場合には、前記入出庫扉の閉鎖前に前記入出庫部の外で入力する照合データと照合し、照合結果が一致する場合には機械式駐車設備の運転操作のロックを解除するように構成されている、ことを特徴とする機械式駐車設備の安全確認方法。
【発明の詳細な説明】
【技術分野】
【０００１】
本発明は、機械式駐車設備の入出庫部の安全を確認して運転盤による運転操作のロックを解除する安全確認装置と安全確認方法に関する。
【背景技術】
【０００２】
従来、機械式駐車設備の入出庫部には、人や車両のはみ出しを検知するために複数の検知センサ（以下、単に「センサ」ともいう）が設置されている。そして、これらのセンサが車両の入出庫や利用者の出入りを検知すると、制御装置が運転盤による運転操作をロックするようにした安全確認装置が備えられている。この安全確認装置によって運転盤による運転操作がロックされた状態では、入出庫扉の閉鎖操作や呼び操作（出庫車又は空のパレットなどの自動車搬送手段を入出庫部に移動させる操作）ができないロック状態が保たれる。そして、入出庫が完了して利用者が入出庫部から出て、入出庫部の安全を確認し、安全確認ボタンを押すと安全確認装置による運転盤の運転操作ロックが解除されて、入出庫扉の閉鎖操作や呼び操作が可能となる。
【０００３】
上記安全確認ボタンは、通常、運転盤又は運転盤付近に１個が設置されている。そのため、安全確認ボタンを押す位置から入出庫部が見渡せなかったり、入庫車両の反対側などが死角になる場合には、利用者が移動して安全確認をするために多くの時間を要する場合がある。
【０００４】
一方、上記入出庫扉の開閉操作をリモコンで車両内から行うものがある。しかし、車両内からのリモコン操作の場合、十分な安全確認をしないまま入出庫扉の閉鎖操作をして入出庫部に人が閉じ込められるおそれがある。また、入出庫扉が開放した状態の場合、次の利用者が、先の利用者が入出庫扉を閉じずに立ち去ったと思い込み、入出庫部を確認せずに入出庫扉を閉じて先の利用者が閉じ込められるおそれがある。
【０００５】
そこで、この種の先行技術として、入出庫部において安全確認の実施が入力される１又は複数の入力手段と、入出庫部外に配置されてパレット搬送を許可する許可入力手段と、人の入出庫部への入退出を検知する入退室検知手段とを備えたものがある（例えば、特許文献１参照）。この先行技術では、入力手段への入力が行われた後に、入退室検知手段によって入出庫部から人の退室を検知すると、許可入力手段への操作を有効としている。
【０００６】
また、他の先行技術として、入出庫扉を開放する前に第１認証処理を行って入出庫扉を開放し、その後、入出庫部で車両を入出庫し、入出庫扉を閉じる前に第２認証処理を行うものがある（例えば、特許文献２参照）。この先行技術では、第１認証処理の認証情報と第２認証処理の認証情報とが照合処理で一致した場合に、運転盤で扉閉処理ができるようにしている。
【先行技術文献】
【特許文献】
【０００７】
【特許文献１】特開２０１５−４８５９５号公報
【特許文献２】特開２０１４−１３９４０１号公報
【発明の概要】
【発明が解決しようとする課題】
【０００８】
しかし、上記特許文献１の場合、入出庫部で安全確認を実施して入力手段を操作した後、人が退出したことを検知したことによって入出庫部外で扉閉操作を実行できるため、例えば、入力操作をした人を残して同乗者が先に退出した場合などに、扉閉操作を実行してしまうおそれがある。
【０００９】
また、上記特許文献２の場合、第１認証の情報と第２認証の情報とが一致した場合には扉閉操作ができるので、例えば、認証情報としての暗証番号を家族で共有している場合など、家族による全員が退出したとする思い込みによって扉閉操作を実行するおそれがあり、人の居残りを防止することが難しい場合がある。さらに、先の利用者が入出庫扉を開いたままで立ち去った場合のために、管理人専用の認証一致手段が必要になる。その上、連続して利用者が待っているときなど、特に、先の利用者が出庫の場合で入出庫扉を閉めずに去った場合には、第２認証の完了を待つための待ち時間が長<なる。
【００１０】
そこで、本発明は、入出庫時における入出庫部の安全確認と入出庫操作を、利用者が自ら適切に行って入出庫できるようにした機械式駐車設備の安全確認装置と安全確認方法を提供することを目的とする。
【課題を解決するための手段】
【００１１】
上記目的を達成するために、本発明に係る安全確認装置は、利用者が入出庫部において車両の入出庫を行う機械式駐車設備の安全確認装置であって、前記機械式駐車設備の利用者を登録者として記憶する制御装置と、前記機械式駐車設備の入出庫扉を開放する前に認証する第１認証装置と、前記入出庫部の安全確認を行った後に認証する第２認証装置と、前記入出庫扉を閉鎖する前に照合データを入力する照合装置と、を備え、前記制御装置は、前記入出庫扉の開放前に前記第１認証装置で前記利用者が入力する第１認証データを前記登録者の登録データと照合し、該第１認証データが前記登録データに含まれる場合には前記入出庫扉を開放するとともに、機械式駐車設備の運転操作をロックし、前記安全確認後に前記第２認証装置で入力する第２認証データを前記登録者の登録データと照合し、該第２認証データが前記登録データに含まれる場合には、前記入出庫扉の閉鎖前に前記照合装置で入力する照合データと照合し、照合結果が一致する場合には機械式駐車設備の運転操作のロックを解除するように構成されている。この明細書及び特許請求の範囲の書類中における「認証」及び「照合」は、暗証番号、ＩＤカード、ＩＤリモコン、による認証及び照合を含み、「入力」は、手入力、カードやリモコンによる入力を含む。「安全確認」は、「無人確認」及びその他の安全確認を含む。「運転操作」とは、少なくとも、入出庫扉の閉鎖、パレット又は車両の搬送、のいずれか又は両方をいう。入出庫扉を閉鎖しないと搬送が行なえないように構成するのが好ましい。
【００１２】
この構成により、入出庫扉の開放前に入力する第１認証データと、入出庫部の安全確認後に入力する第２認証データとが一致しているか否かにかかわらず、第２認証データと照合データとが一致するか否かを照合し、照合結果が一致する場合には機械式駐車設備の運転操作を可能としているので、入出庫部の安全確認を行った者と、その後の運転操作を行う者とが一致するようにできる。つまり、入出庫部を確認した後に入力する第２認証データと、その後、入出庫部の外部で入出庫扉を閉鎖する前に入力する照合データとを照合し、一致している場合にのみ機械式駐車設備の運転操作のロックを解除して入出庫扉の閉鎖操作が行えるので、人が入出庫部に居残ることを防止するように機械式駐車設備を運転することができる。
【００１３】
また、前記第２認証装置は、該第２認証装置による第２認証データの入力後に操作する認証確認部を有していてもよい。この明細書及び特許請求の範囲の書類中における「認証確認部」は、ボタン、レバー、スイッチなどを含む。このように構成すれば、安全確認後に第２認証装置で第２認証を行った操作者がさらに認証確認部を操作することで、無人確認を行ったことへの意識付けをすることができる。
【００１４】
また、前記第２認証装置は、前記入出庫部を見渡せる位置に配置されていてもよい。このように構成すれば、第２認証装置の数を減らして、制御の簡略化と装置の簡略化によるコスト低減などを図ることができる。
【００１５】
また、前記第２認証装置は、前記入出庫部で入出庫する車両の少なくとも左位置と右位置とにそれぞれ配置されていてもよい。このように構成すれば、利用者が車両の右位置又は左位置のいずれから乗降しても、第２認証装置によって第２認証を迅速に行い、迅速な入出庫操作を行うことができる。
【００１６】
また、前記第２認証装置は、前記入出庫部に配置され、前記制御装置は、前記利用者が前記第２認証装置による第２認証データの入力後、該第２認証装置の位置から前記入出庫扉の位置の物体検知センサに向けて順に検知して利用者の退出を検知することで、前記照合装置による照合データの入力が可能となるように構成されていてもよい。このように構成すれば、第２認証装置と入出庫扉との間における物体検知センサの検知結果に基づいて、照合装置による照合を自動的に可能とすることができる。
【００１７】
また、前記制御装置は、前記利用者による前記第２認証装置での第２認証データの入力後、前記入出庫扉の位置の物体検知センサが検知した後、前記入出庫部の物体検知センサが検知したことで、侵入と判定して前記第２認証装置を第２認証データの入力前の状態にするように構成されていてもよい。この「侵入」とは、人などの入出庫部への立ち入りをいう。このように構成すれば、第２認証装置による第２認証後、入出庫扉からの侵入を検知して第２認証装置を認証する前の状態に戻して、入出庫部の安全確認と第２認証装置による第２認証をやり直すようにできる。
【００１８】
また、前記第２認証装置は、前記入出庫部に配置され、前記制御装置は、前記第２認証装置で第２認証データの入力後、所定時間を経過するまで前記入出庫部の物体検知センサを無効とするように構成されていてもよい。この「無効」とは、検知機能自体を停止すること、検知結果を制御上無視すること、検知結果を侵入とは判定しないこと、などを含む。このように構成すれば、第２認証装置による第２認証後、利用者が退出するまでの間における物体検知センサの検知による制御を減らし、制御装置における判断を簡略化することができる。
【００１９】
また、前記第２認証装置は、該第２認証装置で認証する前の状態を有効状態、認証後の状態を無効状態としたとき、該第２認証装置の有効状態又は無効状態を示す明示機能を有していてもよい。この明細書及び特許請求の範囲の書類中における「明示機能」は、ランプの発光色変化、ディスプレイによる文字や画像表示、音など、有効か無効かの状態を目や耳で確認できる機能をいう。このように構成すれば、入出庫部で安全確認を行った否かを利用者が容易に認識することができる。
【００２０】
一方、本発明に係る安全確認方法は、機械式駐車設備の運転操作を利用者が行い、入出庫部において車両の入出庫を行う機械式駐車設備の安全確認方法であって、前記機械式駐車設備の利用者を登録者として制御装置に記憶し、前記利用者が前記機械式駐車設備の入出庫扉を開放する前に前記入出庫部の外で入力する第１認証データを前記登録者の登録データと照合し、該第１認証データが前記登録データに含まれる場合には前記入出庫扉を開放するとともに、機械式駐車設備の運転操作をロックし、前記入出庫部の安全確認後に第２認証装置で入力する第２認証データを前記登録者の登録データと照合し、該第２認証データが前記登録データに含まれる場合には、前記入出庫扉の閉鎖前に前記入出庫部の外で入力する照合データと照合し、照合結果が一致する場合には機械式駐車設備の運転操作のロックを解除するように構成されている。
【００２１】
この構成により、入出庫扉の開放前に入力する第１認証データと、入出庫部の安全確認後に入力する第２認証データとが一致しているか否かにかかわらず、第２認証データと照合データとが一致するか否かを照合し、照合結果が一致する場合に機械式駐車設備の運転操作を可能としているので、入出庫部の安全確認を行った者と、その後の運転操作を行う者とが一致するようにできる。つまり、入出庫部を確認した後に入力する第２認証データと、その後、入出庫部の外部で入出庫扉を閉鎖する前に入力する照合データとを照合し、人が入出庫部に居残ることを防止するように機械式駐車設備を運転することができる。
【発明の効果】
【００２２】
本発明によれば、入出庫操作を行う利用者が入出庫部の安全を確認して行う第２認証と入出庫扉の閉鎖前に行う照合のデータを照合し、これらのデータが一致している場合には機械式駐車設備の運転操作のロックを解除するため、機械式駐車設備における入出庫部の安全確認と入出庫扉の閉鎖操作とを利用者が適切に行うことが可能となる。
【図面の簡単な説明】
【００２３】
【図１】図１は、本発明の一実施形態に係る機械式駐車設備の入出庫部における安全確認装置の構成を示す模式図である。
【図２】図２は、図１に示す安全確認装置による入庫制御のフロー図である。
【図３】図３は、図１に示す安全確認装置による出庫制御のフロー図である。
【発明を実施するための形態】
【００２４】
以下、本発明の実施形態を図面に基づいて説明する。以下の実施形態では、機械式駐車設備１としてパレット式の駐車設備を例に説明する。また、利用者の認証を、「暗証番号」とした例で説明する。「利用者」は、例えば、機械式駐車設備の取扱いに関し、教育・訓練を受けて管理責任者から操作権限を与えられた「認定取扱者」であり「登録者」でもある。この明細書及び特許請求の範囲の書類中における前後左右方向の概念は、図１に示す入出庫扉５に向かった状態における前後左右方向の概念と一致するものとする。また、車両Ｖを矩形状枠で示す。
【００２５】
［安全確認装置の構成］
図１は、この実施形態の機械式駐車設備１の入出庫部３を示す平面図であり、矩形状に形成された駐車塔２の正面側に入出庫口４が設けられ、この入出庫口４には入出庫扉５が備えられている。この入出庫口４の側方（図では右方）には、機械式駐車設備１の運転操作を行う運転盤７が設けられている。この実施形態では、この運転盤７と制御装置８が一体となった例を示している。制御装置８には、上記登録者が記憶されている。また、この実施形態では、運転盤７に第１認証装置２０が備えられている。
【００２６】
この機械式駐車設備１の入出庫部３には、物体を検知する複数の物体検知センサ（以下、単に「センサ」という）が設けられている。車両Ｖを入出庫させる車両配置部であるパレット６の左側方に左部センサ１１が設けられ、右側方に右部センサ１２が設けられている。また、パレット６の前方には、入出庫部３の左右方向全長で物体を検知する前部センサ１３が設けられ、パレット６の前後方向の中間部分には、車両Ｖの有無を検知するための車両検知センサ１６が設けられている。さらに、パレット６と入出庫扉５との間には、入出庫部３の左右方向全長で物体を検知する後部センサ１４が設けられ、入出庫口４の部分には、入出庫扉５の外側で物体を検知する入出庫扉外センサ１５が設けられている。
【００２７】
そして、この実施形態の安全確認装置１０には、上記入出庫部３の上記車両検知センサ１６よりも前方の左右位置に、入出庫部３の安全確認後に第２認証データを入力する第２認証装置２１，２２が備えられている。図示する左位置には左第２認証装置２１が設けられ、右位置には右第２認証装置２２が設けられている。この第２認証装置２１，２２で入力する第２認証データは、暗証番号認証、ＩＤカード認証、ＩＤリモコン認証、生体認証などのデータを含み、利用者を認証できるものであればよい。
【００２８】
これらの第２認証装置２１，２２には、それぞれ第２認証装置２１，２２による認証後に操作する認証確認部としての認証確認ボタン２３，２４が設けられている。この認証確認ボタン２３，２４は、利用者に対して第２認証装置２１，２２で認証したことを意識付けするために設けられており、第２認証装置２１，２２の近傍に設ければよい。認証確認ボタン２３，２４を設ける場合、全ての第２認証装置２１，２２に設けても、いずれかの第２認証装置２１（２２）のみに設けてもよい。認証確認部は、ボタンの他、引く操作、レバー、スイッチ操作などのものでもよい。また、この認証確認ボタン２３，２４は設置しなくてもよく、認証確認ボタン２３，２４に代えて、第２認証装置２１，２２が認証前の有効状態か、認証後の無効状態かを認識できるように、ランプ、ブザーなどの明示手段で認識できるようにしてもよい。
【００２９】
さらに、第２認証装置２１，２２は、車両Ｖが停車した状態で入出庫部３の全体を見渡せる位置であれば他の位置でもよく、二点鎖線で示すように、入出庫口４の左位置に左第２認証装置２１を設け、右位置に右第２認証装置２２を設けるようにしてもよい。この場合、認証確認ボタン２３，２４も、第２認証装置２１，２２の近傍に設ければよい。しかも、第２認証装置２１，２２の数を減らして、制御の簡略化と装置の簡略化によるコスト低減などを図ることができる。
【００３０】
また、上記入出庫部３の外部に設けられた運転盤７は、第１認証装置２０の他、照合装置２５の機能も兼ねた構成となっている。照合装置２５は、第１認証装置２０に両方の機能を兼ねさせた１つの構成としてもよいし、物体自体が別体となったものでもよい。第１認証装置２０における第１認証データの入力及び照合装置２５における照合データの入力としては、手入力による暗証番号認証の他、ＩＤカード認証、ＩＤリモコン認証、生体認証などによる入力を含み、利用者を認証できるものであればよい。
【００３１】
これら第１認証装置２０、第２認証装置２１，２２及び照合装置２５は、本発明における各装置の機能を備えた構成であればよく、物体として構成が同一の物でも別体の物でもよい。また、第１認証装置２０、第２認証装置２１，２２及び照合装置２５で異なる認証手段を組合せても、複数使用可としてもよい（例えば、入庫時の第１認証データはリモコン→第２認証データ、照合データはＩＤカード、出庫時の第１認証データは暗証番号、第２認証データはＩＤカード、照合データはＩＤリモコン、など）。
【００３２】
また、この運転盤７には、最終確認ボタン２６が設けられている。最終確認ボタン２６としては、押す操作の他、引く操作、レバー式のように傾ける操作などのものを含む。なお、最終確認ボタン２６は、照合装置２５で認証したことをランプ、ブザーなどの明示機能で認識できるようにして省略してもよい。
【００３３】
さらに、上記左部センサ１１及び右部センサ１２と第２認証装置２１，２２とは、左部センサ１１が検知したら、左第２認証装置２１を有効にし、右部センサ１２が検知したら右第２認証装置２２を有効にするようにしてもよい。この「有効」とは、認証することにより「無効」状態に切り替えられる状態で、有効な第２認証装置２１，２２が存在する限り操作機能のロック及び運転操作のロックは解除できない状態をいう。「操作機能のロック」とは、運転操作、及び運転操作を許可するための照合データの入力受付を禁止した状態をいう。ロック中でも、管理やメンテナンスのための特別な認証のみ受け付けられるようにしておくことができる。「認証」とは、入力データが制御装置８に登録されている登録データに含まれると認められること及びそのための認証手段を用いた入力操作をいう。「有効」な第２認証装置２１（２２）で認証することにより、全て「無効」にすることで第２認証装置２１，２２による操作機能のロックを解除できる。「運転操作のロック」とは、少なくとも、入出庫扉の閉鎖、パレット又は車両の搬送、のいずれか又は両方の操作ができない状態をいう。第２認証装置２１，２２は、有効な状態か無効な状態かを目や耳で確認できるように、発光色変化、ディスプレイによる文字や画像表示、音などで明示する機能を有していてもよい。
【００３４】
両方の第２認証装置２１，２２が有効になる場合、有効状態Ａ（それぞれ個別に認証する必要がある）となる。但し、出庫時は、車両Ｖが入出庫部３から出て全体が目視可能となるため、有効状態Ｂ（どちらか一方で認証すればよい）とする。入出庫部３の奥の前部センサ１３が検知すると、左第２認証装置２１及び右第２認証装置２２を有効にする。但し、それまでに第２認証装置２１，２２のいずれか１方のみ有効になっていた場合は、有効状態Ｂとなる。既に第２認証装置２１，２２の両方が有効になっていた場合や、前部センサ１３が検知後に、左部センサ１１の組と、右部センサ１２の組の検知していなかった方が検知した場合、有効状態Ａとなる。また、各センサの検知有無に関わらず、入出庫扉５の開放に基づいて第２認証装置２１，２２を有効にしてもよい。
【００３５】
なお、駐車塔２の内部を見渡すことができる場合や、カメラとモニタによって確認できる場合、又は鏡等により直接目視できない部分を間接的に視認できるようになっている場合などは、第２認証装置２１，２２を１つとしてもよいし、複数の第２認証装置２１，２２が有効な時でも、視認や確認が可能な第２認証装置２１（２２）で認証することで他の第２認証装置２２（２１）を合せて無効にできるようにしてもよい。
【００３６】
また、第２認証装置２１（２２）で認証した利用者が退出するまでに、左部センサ１１又は右部センサ１２、及び車両検知センサ１６（出庫時のみ）が検知しても、再びこれらのセンサが有効にならないようにできる。例えば、一方の第２認証装置２１（２２）のみ有効の場合、一定の時間（例えば、１０秒〜２０秒）を経過していない、及び後部センサ１４が検知した後、入出庫扉外センサ１５の順に検知して、利用者の退出を検知していない、の両方を満足している間は、左部センサ１１又は右部センサ１２及び車両検知センサ１６が利用者を検知しても無効（制御上この検知を無視）にすることができる。この場合、認証された第２認証装置２１（２２）の位置から、入出庫口４までの経路上に位置するセンサ１１，（１２），１６のみを無効にしてもよい。
【００３７】
なお、この間に入出庫扉外センサ１５から後部センサ１４の順に検知した場合は、入出庫部３に人が居ると判断して左部センサ１１又は右部センサ１２と、車両検知センサ１６の無効を解除し、左部センサ１１又は右部センサ１２の検知している側が再び有効になる。出庫時の、両方の第２認証装置２１，２２が有効状態Ｂで有効になっている場合も、これに準じる。
【００３８】
また、同様に、両方の第２認証装置２１，２２が有効状態Ａで有効な場合、第２認証装置２１（２２）で認証した人を退出するまでに検知して再びこれらが有効とならないように、先に認証された第２認証装置２１（２２）に対応する側の左部センサ１１又は右部センサ１２を、一定の時間（例えば、１０秒〜２０秒）を経過していない、及びその利用者の車両反対側ヘの移動を前部センサ１３又は後部センサ１４が検知していない、の両方の条件を満足している間は、利用者を検知しても無視するようにできる。この場合、認証された第２認証装置２１（２２）の位置から、入出庫口４までの経路上に位置するセンサ１１，（１２），１６のみを無効にして、制御装置８による制御判断を簡略化してもよい。この後は、上記の、一方の第２認証装置２１（２２）が有効な状態と同様に処理する。
【００３９】
その後、第２認証装置２１（２２）で認証され、すべての第２認証装置２１（２２）が無効となった状態で、後部センサ１４が検知した後、入出庫扉外センサ１５が順に検知して、その利用者の退出を検知することで、操作機能のロックが解除され、運転盤７に備えられた照合装置２５が有効となって照合を行い、その後、運転盤７に備えられた最終確認ボタン２６が有効となる。この照合装置２５が「有効」とは、認証操作を受け付けることができる状態で、操作機能がロックされた状態では原則として無効となっている。最終確認ボタン２６が「有効」とは、運転操作のロックを解除するための最終確認入力を受け付けることができる状態で、押して無効にすることにより運転操作のロックを解除できる状態をいう。そして、この最終確認ボタン２６を押すことにより「運転操作のロック」が解除されて運転盤７から入出庫扉５の閉鎖操作などを行うことができる。
【００４０】
このように第２認証装置２１，２２の位置と入出庫扉５の位置との間における後部センサ１４、入出庫扉外センサ１５の検知結果に基づいて、照合装置２５による照合を自動的に可能とすることができる。
【００４１】
なお、上記した各センサ１１〜１６は、線状に検知するものに限らず、画像処理や赤外線の輻射や超音波によるものなど各種センサを用いることができる。また、左部センサ１１や右部センサ１２の本数は、１本〜複数本でもよい。さらに、前部センサ１３は、目視で確認できる入出庫部３の内部レイアウトであれば省略してもよい。
【００４２】
また、後部センサ１４と入出庫扉外センサ１５は、兼用する１本として、他のセンサ１１，１２の検知状況の組み合わせから、利用者の入退出を判定することもできる。例えば、他のセンサ１１，１２が検知している状態で入出庫扉外センサ１５（後部センサ１４）が検知した場合は入場、他のセンサ１１，１２が検知しなくなった後で入出庫扉外センサ１５（後部センサ１４）が検知した場合は退出、入出庫扉外センサ１５（後部センサ１４）が検知した後で他のセンサ１１，１２が検知した場合は入場、などの判定ができる。
【００４３】
さらに、第２認証装置２１，２２は、入出庫部３内（実線位置）又は入出庫口４の部分（二点鎖線位置）のどちらか一方又は両方に備えてもよい。また、入出庫部３の場合でも、車両検知センサ１６よりも入出庫口４に近い位置でもよい。
【００４４】
このように、この実施形態の安全確認装置１０では、入出庫部３の各位置に車両Ｖや、パレット６の左位置で車両Ｖに乗降する人などを検知する左部センサ１１と、右位置で車両Ｖに乗降する人などを検知する右部センサ１２と、入出庫部３の前部で検知する前部センサ１３、及び入出庫口４付近でパレット６の左右位置への通路を通る人を検知する後部センサ１４、入出庫口４を通る人を検知する入出庫扉外センサ１５を設けている。そして、入出庫部３の左右位置に第２認証装置２１，２２を各々配置している。
【００４５】
［入庫制御］
次に、図２に基づいて、上記安全確認装置１０による入庫制御のフローを説明する。図の左側に利用者（登録者）の行動を示し、右側に安全確認装置１０における各ステップを示している。なお、この図では、入出庫部３である駐車塔２の内部を、単に「塔内」と表示し、入出庫扉外センサ１５を「扉外センサ」と表示する。
【００４６】
まず、利用者が運転盤７において暗証番号（第１認証データ）を入力すると（ＳＡ１）、この入力された暗証番号が制御装置８に登録されている登録者（認定取扱者）の暗証番号（登録データ）に含まれるか否かが判断（認証）される（ＳＡ２）。この入出庫扉５の開放前に行う「暗証番号」入力（１）による認証が、第１認証である。入力された暗証番号が登録者の暗証番号に含まれない場合、例えば、運転盤７の画面に「有効な暗証番号ではありません。入力しなおしてください」と表示されて（ＳＡ３）、終了する。
【００４７】
上記第１認証で、暗証番号から登録者であることが認証された場合、運転盤７の画面に、例えば「スタートボタンを押してください」と表示される（ＳＡ４）。そして、利用者がスタートボタンを押すと（ＳＡ５）、スタートボタンが押されたことを検知し（ＳＡ６）、機械が起動する（ＳＡ７）。この機械起動により、暗証番号に紐付けられた収容車のサイズに適合する空のパレット６が呼ばれる。
【００４８】
空のパレット６が入出庫部３に到着すると、ステップ（ＳＡ２）で第１認証データが登録データに含まれることを確認しているので、自動的に入出庫扉５が開放する（ＳＡ８）。その後、利用者が車両Ｖを入庫させ（ＳＡ９）、利用者が車両Ｖから降りて、入出庫部３（駐車塔２の内部）の無人を確認する（ＳＡ１０）。この時、運転盤７は、操作機能及び運転操作がロック（無効）の状態であり、運転盤７と第２認証装置２１，２２には「操作ロック中、塔内の無人を確認し、塔内の第２認証装置で暗証番号を入力してください」と表示（放送でもよい）されている（ＳＡ１１）。
【００４９】
そして、利用者が入出庫部３（駐車塔２の内部）の無人を確認し、入出庫部３内の第２認証装置２１（２２）で暗証番号（第２認証データ）を入力する（ＳＡ１２）。これにより、制御装置８はこの暗証番号が登録者の暗証番号（登録データ）に含まれるか否かが認証される（ＳＡ１３）。この「暗証番号」入力（２）による認証が、第２認証である。入力された暗証番号が登録者の暗証番号に含まれていない場合、例えば、運転盤７の画面に「有効な暗証番号ではありません。入力しなおしてください」と表示されて（ＳＡ１４）、正しい暗証番号が入力されるのを待つ。入力された暗証番号が登録者の暗証番号に含まれる場合、制御装置８は「第２認証」が（全て）行われて全ての第２認証装置２１，２２が無効になったか否かの判断（ＳＡ１５）で、「ＹＥＳ」となる。この時、「速やかに退出して扉を閉めてください」と表示又は放送してもよい。
【００５０】
また、第２認証装置２１，２２に認証確認ボタン２３，２４が併設されている場合、第２認証を行った後に、対応する認証確認ボタン２３，２４を押す。このように、第２認証装置２１，２２による認証と認証確認ボタン２３，２４とを組み合わせることで、操作者に無人確認を行ったことへの意識付けをすることができる。そして、正規の認証であることが確認されると第２認証装置２１（２２）の有効状態が解除される。第２認証と認証確認ボタン２３，２４を押す順序は、この逆でもよい。
【００５１】
この第２認証後、利用者が入出庫部３から入出庫口４を通って退出する（ＳＡ１６）。この利用者が退出したことは、利用者を入出庫部３の後部センサ１４が検知した後、入出庫扉外センサ１５が順に検知したことで判断している（ＳＡ１７）。
【００５２】
なお、上記第２認証装置２１（２２）で認証された後、利用者を入出庫部３のいずれかのセンサ１１〜１４が検知し、その後、入出庫扉外センサ１５で検知するまでに所定時間（例えば、１０秒〜２０秒）を経過すると（ＳＡ１８）、上記第２認証装置２１（２２）による第２認証が行われていない状態（第２認証装置２１（２２）での暗証番号（第２認証データ）入力前の状態；ロック状態）に戻している（ＳＡ１１）。これにより、例えば、利用者が第２認証装置２１（２２）で認証した後、再び車両Ｖ内の荷物を出しに戻った場合など、再び第２認証装置２１（２２）で認証する操作から行うようにしている。
【００５３】
また、入出庫扉外センサ１５が検知した後、入出庫部３内のいずれかのセンサ１１〜１４が検知した場合も、再度入出庫部３内への侵入と判断して、上記第２認証装置２１（２２）による第２認証が行われる前の状態（ロック状態）に戻ってもよい（ＳＡ１１）。
【００５４】
なお、第２認証装置２１，２２に、第２認証を完了したか否かを目や耳で確認できるように、発光色変化、音などで明示する機能がある場合、その明示で第２認証装置２１，２２による第２認証が完了しているか否かを容易に認識することができる。また、第２認証が行われることなく入出庫扉外センサ１５で利用者の退出を検知した場合、「暗証番号を入力してください」の表示又は放送をし、利用者がその情報に基づいて入出庫部３に入って第２認証装置２１，２２による第２認証を行うように促してもよい。
【００５５】
そして、上記した利用者による第２認証装置２１（２２）における第２認証を確認した後、入出庫部３のセンサ１１（１２）が検知し、後部センサ１４、入出庫扉外センサ１５の順に検知すると（ＳＡ１７）、数秒後（例えば、５秒位）に運転盤７の操作機能のロックが解除される（ＳＡ１９）。
【００５６】
その後、運転盤７の照合装置２５にて暗証番号（照合データ）を入力する（ＳＡ２０）。この「暗証番号」入力（３）が、照合データの入力である。そして、この暗証番号が、上記第２認証の暗証番号と一致するか否かの照合がなされる（ＳＡ２１）。照合データと上記第２認証データとが一致しない場合、運転盤７に「塔内無人確認を行った方のみ操作することができます」と表示されて（ＳＡ２２）、第２認証を行った者の暗証番号入力待ちの状態に戻る。なお、入力しなおしの回数や認証が成功するまでの時間を所定値に制限し、これを超えるとステップ（ＳＡ１１）に戻るなどの制御を加えることができる。
【００５７】
このように、運転盤７における「暗証番号」入力（３）の照合データは、パレット呼び操作時の「暗証番号」入力（１）の第１認証データとは照合されず、入出庫部３で無人確認をして第２認証装置２１，２２で行った「暗証番号」入力（２）の第２認証データと一致するか否かが照合される。
【００５８】
一方、照合データと第２認証データとが一致した場合には、何も表示しないか、必要に応じて「最終確認ボタンを押してください」などの表示が行なわれ、利用者が最終確認ボタン２６を押すと（ＳＡ２３）、制御装置８は、最終確認ボタン２６が押されたことを検知する（ＳＡ２４）。ここで、運転操作のロックが解除される。ただし、後述のように最終確認ボタン２６を省略する場合、（ＳＡ２１）の判定が「ＹＥＳ」となった時点で運転操作のロックが解除される。その後、利用者が運転盤７の扉閉ボタンを押すと（ＳＡ２５）、制御装置８は扉閉ボタンが押されたことを検知して（ＳＡ２６）、入出庫扉５が閉じられる（ＳＡ２７）。
【００５９】
このように、第２認証で認証され、すべての第２認証装置２１，２２が無効となった状態で、後部センサ１４が検知した後に入出庫扉外センサ１５の順に検知して利用者の退出を検知した後、運転盤７に備えられた最終確認ボタン２６が有効となる。そして、この最終確認ボタン２６を押す直前又は直後に照合装置２５で照合データの入力を行い、第２認証データと照合データとの照合結果が一致することにより扉閉鎖などの操作を行うことが可能となる。
【００６０】
なお、上記最終確認ボタン２６を押す操作（ＳＡ２３）と、その最終確認ボタン２６が押されたことの検知（ＳＡ２４）は、照合データと第２認証データとが一致することの照合を行うので、省略してもよい（二点鎖線で囲む部分）。最終確認ボタン２６を押す操作は、照合データの入力と順序を逆に入れ替えることもできる。
【００６１】
また、上記した説明では、入出庫部３の２箇所に第２認証装置２１，２２を設けた例としているが、入出庫扉５の近傍の１箇所に第２認証装置（例えば、２１のみ）を設け、出庫時はこの第２認証装置２１のみで無人確認の認証を行うようにできる。さらに、第２認証装置２１，２２を、入出庫扉５の近傍の１箇所と、入出庫部３の対角線上に離れた複数箇所（例えば、手前側と奥側の２箇所以上）とに設け、通常の入庫時及び入出庫の入出庫扉５の閉め忘れ（最後の退出を検知してから所定時間経過など）のときは、ここで第２認証を行うようにできる。
【００６２】
さらに、入出庫扉５の閉め忘れの場合、機械式駐車設備１の操作権限を与えられた他の認定取扱者が、塔内の無人を確認して第２認証装置２１，２２において自身の認証（暗証番号入力）によって第２認証データの入力を行い、退出後に、照合装置２５で自身の認証（暗証番号入力）によって照合データの入力を行うことで、入出庫扉５を閉鎖するようにできる。
【００６３】
なお、「入出庫扉５の閉め忘れ」とは、例えば、入庫を行った登録者と異なる登録者が入出庫扉５を閉操作するときや、入庫と同一の登録者であっても、一旦、入出庫口４から注意をそらして（入出庫口４の前から離れて）戻った場合などを指す。「入出庫扉５の閉め忘れ」の推測方法の一例を挙げると、ステップ（ＳＡ１７）で運転盤７の操作機能のロックが解除されてから所定時間（例えば３０秒）経過した場合や、全ての第２認証装置２１，２２が無効になっていない状態（第２認証装置２１（２２）による認証忘れ）でセンサ１４，１５が退出を検知した後、塔内のいずれのセンサ１１〜１６も検知していない状態が所定時間（例えば３０秒）続いた場合などに、閉め忘れとしての制御に切り替えることができる。
【００６４】
このように、車両Ｖを入庫する場合、パレット呼び操作をする第１認証データを入力した者に関わらず、入庫後に入出庫部３で安全確認をした後に第２認証装置２１，２２で入力する第２認証データと、退出後に入出庫扉５を閉鎖する前に照合装置２５で入力する照合データとを照合し、照合結果が一致していれば、運転盤７による運転操作のロックを解除することが可能となるようにしている。これにより、塔内の無人確認を行って第２認証データを入力した者と入出庫扉５の閉鎖操作前に照合データの入力をした者とが同一となるようにできる。しかも、入出庫扉５の閉め忘れが生じても、次の利用者（登録者）が無人確認を行って第２認証データの入力と照合データの入力とを行えば、入出庫扉５を閉鎖することができ、次の入出庫を迅速に進めることができる。
【００６５】
［出庫制御］
次に、図３に基づいて、上記安全確認装置１０による出庫制御のフローを説明する。図の左側に利用者の行動を示し、右側に安全確認装置１０における各ステップを示している。なお、この図でも、入出庫部３である駐車塔２の内部を、単に「塔内」と表示し、入出庫扉外センサ１５を「扉外センサ」と表示する。
【００６６】
まず、利用者が運転盤７において暗証番号（第１認証データ）を入力すると（ＳＢ１）、この入力された暗証番号が制御装置８に登録されている登録者の暗証番号（登録データ）に含まれるか否かが判断（認証）される（ＳＢ２）。この入出庫扉５の開放前に行う「暗証番号」入力（１）による認証が、第１認証である。入力された暗証番号が登録者の暗証番号に含まれていない場合、例えば、運転盤７の画面に「有効な暗証番号ではありません。入力しなおしてください」と表示されて（ＳＢ３）、終了する。
【００６７】
上記第１認証で、暗証番号から登録者であることが認証された場合、運転盤７の画面に、例えば「スタートボタンを押してください」と表示される（ＳＢ４）。そして、利用者がスタートボタンを押すと（ＳＢ５）、スタートボタンが押されたことを検知し（ＳＢ６）、機械が起動する（ＳＢ７）。この機械起動により、暗証番号に紐付けられた車両Ｖを収容している出庫パレット６が呼ばれる。
【００６８】
出庫パレット６が入出庫部３に到着すると、ステップ（ＳＢ２）で第１認証データが登録データに含まれることを確認しているので自動的に入出庫扉５が開放する（ＳＢ８）。その後、利用者が入出庫部３に入って車両Ｖに乗車し（ＳＢ９）、車両Ｖを入出庫部３から出庫させて、駐車塔２の外部で降車する（ＳＢ１０）。この時、運転盤７は、操作機能及び運転操作がロック（無効）された状態であり、運転盤７と第２認証装置２１，２２には「操作ロック中、塔内の無人を確認し、塔内の第２認証装置２１，２２で暗証番号を入力してください」と表示（放送でもよい）されている（ＳＢ１１）。
【００６９】
そして、利用者が入出庫部３（駐車塔２の内部）の無人を確認し、入出庫部３内の第２認証装置２１（２２）で暗証番号（第２認証データ）を入力する（ＳＢ１２）。これにより、制御装置８はこの暗証番号が登録者の暗証番号（登録データ）に含まれているか否かを判断する（ＳＢ１３）。この「暗証番号」入力（２）による認証が、第２認証である。入力された暗証番号が登録者の暗証番号に含まれていない場合、例えば、運転盤７の画面に「有効な暗証番号ではありません。入力しなおしてください」と表示されて（ＳＢ１４）、正しい暗証番号が入力されるのを待つ。入力された暗証番号が登録者の暗証番号に含まれる場合は、制御装置８は「第２認証」が（全て）行われて全ての第２認証装置２１，２２が無効になったか否かの判断（ＳＢ１５）で、「ＹＥＳ」となる。この時、「速やかに退出して扉を閉めてください」と表示又は放送してもよい。
【００７０】
また、第２認証装置２１，２２に認証確認ボタン２３，２４が併設されている場合、第２認証を行った後に対応する認証確認ボタン２３，２４を押す。このように、第２認証装置２１，２２による認証と認証確認ボタン２３，２４とを組み合わせることで、操作者に無人確認を行ったことへの意識付けをすることができる。そして、正規の認証であることが確認されると第２認証装置２１（２２）の有効状態が解除される。
【００７１】
この第２認証後、利用者が入出庫部３から入出庫口４を通って退出する（ＳＢ１６）。利用者が退出したことは、利用者を入出庫部３の後部センサ１４が検知した後、入出庫扉外センサ１５の順に検知したことで判断している（ＳＢ１７）。
【００７２】
なお、上記第２認証装置２１（２２）で認証された後、利用者を入出庫部３のいずれかのセンサ１１〜１４が検知し、その後、入出庫扉外センサ１５で検知するまでに所定時間（例えば、１０秒〜２０秒）を経過すると（ＳＢ１８）、上記第２認証装置２１（２２）による第２認証が行われていない状態（ロック状態）に戻る（ＳＢ１１）。これにより、例えば、利用者が第２認証装置２１（２２）で認証した後、入出庫部３に所定時間以上とどまった場合、念のために、再び第２認証装置２１（２２）で認証する操作から行うようにしている。
【００７３】
また、入出庫扉外センサ１５が検知した後、入出庫部３内のいずれかのセンサ１１〜１４が検知した場合も、再度入出庫部３内へ侵入と判断して、上記第２認証装置２１（２２）による第２認証が行われていない状態（第２認証装置２１（２２）での暗証番号（第２認証データ）入力前の状態；ロック状態）に戻ってもよい（ＳＢ１１）。
【００７４】
なお、第２認証装置２１，２２に、第２認証を完了したか否かを目や耳で確認できるように、発光色変化、音などで明示する機能がある場合、その明示で第２認証装置２１，２２による第２認証が完了しているか否かを容易に認識することができる。また、第２認証が行われることなく入出庫扉外センサ１５で利用者の退出を検知した場合、「暗証番号を入力してください」の表示又は放送をし、利用者がその情報に基づいて入出庫部３に入って第２認証装置２１，２２による第２認証を行うように促してもよい。
【００７５】
そして、上記したように、利用者を、入出庫部３（駐車塔２の内部）のセンサ１１（１２）が検知し、後部センサ１４、入出庫扉外センサ１５の順に検知すると（ＳＢ１７）、数秒後（例えば、５秒位）に運転盤７の操作機能のロックが解除される（ＳＢ１９）。
【００７６】
その後、運転盤７の照合装置２５にて暗証番号（照合データ）を入力する（ＳＢ２０）。この「暗証番号」入力（３）が、照合データの入力である。そして、この暗証番号が、上記第２認証データと一致するか否かの照合がなされる（ＳＢ２１）。照合データと上記第２認証データとが一致しない場合、運転盤７に「塔内無人確認を行った方のみ操作することができます」と表示されて（ＳＢ２２）、第２認証を行った者の暗証番号入力待ちの状態に戻る。なお、入力しなおしの回数や認証が成功するまでの時間を所定値に制限し、これを超えるとステップ（ＳＢ１１）に戻るなどの制御を加えることができる。
【００７７】
このように、運転盤７における「暗証番号」入力（３）の照合データは、パレット呼び操作時の「暗証番号」入力（１）の第１照合データとは照合されず、入出庫部３で無人確認をして第２認証装置２１（２２）で行った「暗証番号」入力（２）の第２認証データと一致するか否かが照合される。
【００７８】
一方、照合データと第２認証データとが一致した場合には、何も表示しないか、必要に応じて「最終確認ボタンを押してください」などの表示が行なわれ、利用者が最終確認ボタン２６を押すと（ＳＢ２３）、制御装置８は、最終確認ボタン２６が押されたことを検知する（ＳＢ２４）。ここで、運転操作のロックが解除される。ただし、後述のように最終確認ボタン２６を省略する場合、（ＳＢ２１）の判定が「ＹＥＳ」となった時点で運転操作のロックが解除される。その後、利用者が運転盤７の扉閉ボタンを押すと（ＳＢ２５）、制御装置８は扉閉ボタンが押されたことを検知して（ＳＢ２６）、入出庫扉５が閉じられる（ＳＢ２７）。
【００７９】
このように、第２認証データが認証され、すべての第２認証装置２１，２２が無効となった状態で、後部センサ１４が検知された後、入出庫扉外センサ１５の順に検知して、利用者の退出を検知した後、運転盤７に備えられた最終確認ボタン２６が有効となる。そして、この最終確認ボタン２６を押す直前又は直後に照合データの入力を行い、第２認証データと照合データとの照合結果が一致することで扉閉などの操作を行うことが可能となる。
【００８０】
なお、上記最終確認ボタン２６を押す操作（ＳＢ２３）と、その最終確認ボタン２６が押されたことの検知（ＳＢ２４）は、照合データと第２認証データとが一致することの照合を行うので、省略してもよい（二点鎖線で囲む部分）。最終確認ボタン２６を押す操作は、照合データの入力操作と順序を逆に入れ替えることもできる。
【００８１】
また、この説明でも、入出庫部３の２箇所に第２認証装置２１，２２を設けた例としているが、第２認証装置２１，２２を、入出庫扉５の近傍の１箇所と、入出庫部３の対角線上に離れた複数箇所（例えば、前側と奥側の２箇所以上）とに設け、以下のように、条件に応じて使い分けるようにしてもよい。この使い分けとしては、通常時は入出庫扉５の近傍に設けた第２認証装置２１（２２）のみで安全確認の認証を行い、入出庫扉５の閉め忘れと推測される場合には、入出庫部３の対角線上に設けた第２認証装置２１（２２）で認証後、最後に入出庫扉５の近傍において第２認証装置２１（２２）で認証して退出するようにしてもよい。その後、運転盤７で最終確認ボタン２６を押して暗証番号を入力（暗証番号を入力後、最終確認ボタン２６を押してもよい）することで、入出庫扉５を閉鎖することができる。「入出庫扉５の閉め忘れ」とは、上記入庫制御で説明しているため、説明は省略する。
【００８２】
なお、上記例では車両Ｖの出庫後に利用者が第２認証装置２１（２２）による認証を行っているが（ＳＢ１２）、入出庫部３の見通しが良い場合などでは、乗車（ＳＢ９）前に第２認証装置２１（２２）による認証を行い、車両Ｖの出庫をセンサ１４，１５が検知した以降に同センサ１４，１５が侵入を検知しない限り、運転盤７の操作機能のロックが解除される（ＳＢ１９）ようにしてもよい。
【００８３】
このように、車両Ｖを出庫する場合も、出庫するパレット６を呼ぶための「暗証番号」入力による第１認証データと、入出庫部３の安全確認を行った後の「暗証番号」入力による第２認証データと、入出庫扉５を閉めるための「暗証番号」入力による照合データの入力とを行うが、これらの認証は、第２認証データと照合データとの照合結果が一致していれば、第１認証データが他のデータと一致しているか否かにかかわらず、運転盤７による運転操作のロックを解除することが可能となるようにしている。
【００８４】
つまり、パレット呼び操作者とドア閉操作者の認証による一致は必要とせず、入出庫部３を安全確認した後に入力する第２認証データと、退出後の入出庫扉５を閉鎖する前に入力する照合データとを照合し、この照合結果が一致していることを確認して、安全確認を行った者によって入出庫扉５の閉鎖が行われるようにしている。そのため、入出庫扉の閉め忘れが生じても、次の利用者（登録者）が無人確認を行って第２認証データと照合データの入力とを行えば、入出庫扉５を閉鎖することができ、次の入出庫を迅速に進めることができる。
【００８５】
なお、上記説明では「入庫制御」と「出庫制御」とを独立したフローで説明したが、運転盤７に暗証番号を入力し、登録者であることを認証した後（上記（ＳＡ２）、（ＳＢ２））、その登録者のパレット６に車両Ｖを入庫済か否かを判定し、入庫済であれば出庫、入庫していなければ入庫、と入庫か出庫かを自動的に判断して、それぞれのフローに沿って処理するようにしてもよい。例えば、暗証番号を入力した登録者の車両Ｖが入庫済の場合は「出庫」と判断して上記「出庫制御」のフローへと進み、入庫していない場合は「入庫」と判断して上記「入庫制御」のフローに進むようにできる。
【００８６】
［総括］
以上のように、上記安全確認装置１０及びその安全確認方法によれば、入出庫部３で安全確認をして第２認証装置２１，２２で入力する第２認証データと、その後、退出して入出庫扉５の閉鎖前に照合装置２５で入力する照合データとを照合し、この照合結果が一致することで運転盤７による運転操作を可能として入出庫扉５を閉鎖することができるため、入出庫部３に人が居残っていることの見落としや第三者（次の利用者）による不用意な入出庫扉５の閉鎖を未然に防止することが可能となる。その上、迅速な入出庫操作を行うことが可能となる。
【００８７】
つまり、入出庫扉５を開ける前に入力する第１認証データにかかわらず、入出庫部３で安全確認を行った後の第２認証データと、入出庫扉５を閉鎖する前の照合データとを照合し、一致することで入出庫扉５の閉鎖が可能なようにしているため、最終的な無人確認を行った人自身が入出庫扉５を閉鎖することになり、例えば、無人確認を行ってから退出するまでの僅かな時間に第三者が運転盤を操作して閉じ込められるということを防止でき、入出庫部３に人が居残った状態で入出庫扉５を閉鎖しないような運用が可能となる。
【００８８】
しかも、認証確認ボタン（認証確認部）２３，２４を第２認証装置２１，２２に併設することで、自身が無人確認を行ったことを操作者に意識付けすることができ、見落としによる入出庫扉５の閉鎖や、思い込みによる入出庫扉５の閉鎖を防止できる。
【００８９】
なお、上記した実施形態では、第１認証装置２０で入力する第１認証データ、第２認証装置２１，２２で入力する第２認証データ、及び照合装置２５で入力する照合データを全て「暗証番号」としているが、上記したように、ＩＤカード、ＩＤリモコンなどに登録されたデータによる認証、生体認証、これらのデータ入力を組み合わせたものでもよく、認証及び照合のための手段は上記実施形態に限定されるものではない。
【００９０】
また、上記した実施形態では、パレット式で駐車塔２を有する駐車設備を例にしているが、パレット式でないものや、駐車塔２もない機械式駐車設備においても適用でき、機械式駐車設備の構成は上記実施形態に限定されるものではない。また、入出庫扉が簡易的なフェンス状のものにも適用できる。
【００９１】
さらに、上記した実施形態は一例を示しており、本発明の要旨を損なわない範囲での種々の変更は可能であり、本発明は上記した実施形態に限定されるものではない。
【符号の説明】
【００９２】
１  機械式駐車設備
２  駐車塔
３  入出庫部
４  入出庫口
５  入出庫扉
６  パレット（車両配置部）
７  運転盤
８  制御装置
１０  安全確認装置
１１  左部センサ
１２  右部センサ
１３  前部センサ
１４  後部センサ
１５  入出庫扉外センサ
１６  車両検知センサ
２０  第１認証装置
２１  左第２認証装置
２２  右第２認証装置
２３  認証確認ボタン（認証確認部）
２４  認証確認ボタン（認証確認部）
２５  照合装置
２６  最終確認ボタン
Ｖ  車両
【図１】
0006491557.tif 000002
【図２】
0006491557.tif 000003
【図３】
0006491557.tif 000004